(57)【要約】      （修正有）【課題】口腔洗浄の効果を高めたポータブル口腔洗浄器ポンプの構造を提供する。【解決手段】ポータブル口腔洗浄器ポンプの構造において、ポンプ１はポンプ本体１１、出水コネクター１２、進水コネクター１３、往復駆動ユニット１４を備える。ポンプ本体１１は、出水口、進水口、ピストン室１１３を備える。進水コネクター１３及び出水コネクター１２は、ポンプ本体１１の進水口と出水口にそれぞれ接続される。ポンプ本体１１の進水口と出水口の外縁部には、少なくとも１組の嵌合耳をそれぞれ設置する。出水コネクター１２と進水コネクター１３の嵌合接続端外縁部にも、ポンプ本体１１進水口と出水口外縁部の嵌合耳に嵌合して接続する少なくとも１組の嵌合接続部１３２、１２１を設置する。各嵌合接続部１３２、１２１には、ポンプ本体１１進水口及び出水口外縁部の嵌合耳を嵌入する嵌合槽を形成する。しかも、各嵌合槽の入口下縁及び各嵌合耳の嵌入端下縁には、対応する斜面をそれぞれ設置する。【選択図】図１
0003194873.tif 000002
【実用新案登録請求の範囲】
【請求項１】
ポータブル口腔洗浄器ポンプの構造であって、前記ポンプは、ポンプ本体、出水コネクター、進水コネクター、往復駆動ユニットを備え、
前記ポンプ本体は、出水口、進水口、ピストン室を備え、
前記進水コネクター及び前記出水コネクターは、前記ポンプ本体の進水口と出水口にそれぞれ接続され、
前記ポンプ本体の進水口と出水口の外縁部には、少なくとも１組の嵌合耳をそれぞれ設置し、
前記出水コネクターと前記進水コネクターの嵌合接続端外縁部にも、前記ポンプ本体進水口と出水口外縁部の嵌合耳に嵌合して接続する少なくとも１組の嵌合接続部を設置し、
前記各嵌合接続部には、前記ポンプ本体進水口及び出水口外縁部の嵌合耳を嵌入する嵌合槽を形成し、
しかも、前記各嵌合槽の入口下縁及び各嵌合耳の嵌入端下縁には、対応する斜面をそれぞれ設置し、
かつ、前記各嵌合耳の嵌入端下縁面は、前記各嵌合槽下縁面よりわずかに低く、
前記ポンプ本体の出水口と進水口位置には、ワッシャーをそれぞれ設置し、これにより、前記出水コネクターと前記進水コネクターを、前記ポンプ本体の出水口及び進水口にそれぞれ嵌めて接続する時、よりスムーズかつ緊密に、前記各ワッシャーと嵌合することができ、
同時に、前記出水コネクターと前記進水コネクターを、前記ポンプ本体の出水口と進水口内に嵌めて接続する時に生じる間隙内には、別に漏水防止樹脂体を充填し、
上記した構成部材により、前記往復駆動ユニットは前記ピストンをポンプ本体のピストン室において、押して往復させ、往復進出の連続動作を生じさせ、
この際、吸水と噴水の高圧水流が持続的に生じても、漏水が起きることはなく、これにより給水をより強力かつ安定にし、口腔洗浄の効果を高めることができることを特徴とするポータブル口腔洗浄器ポンプの構造。
【考案の詳細な説明】
【技術分野】
【０００１】
本考案は、ポータブル口腔洗浄器ポンプの構造に関し、ポータブル口腔洗浄器に使用し、進水と出水をコントロールするポンプ構造に関する。
【背景技術】
【０００２】
現在、ポータブル口腔洗浄器の多くは、モーターによりエキセントリック装置を連動してポンプを動かし、ポンプにより水を加圧して、管を通らせ、口腔洗浄器のジェットノズルより噴出させている。従来の口腔洗浄器に使用するポンプの多くは薄膜式ポンプで、ポンプ内部の薄膜が押し引き往復される時に生じる吸引力、推進力により、水を押し出す。しかし、このタイプのポンプは、薄膜の吸引、推進動作を高速かつ高い頻度で行うことで、充分な水を吸入しているため、使用時に、震動と騒音が発生する。しかも、薄膜震動により、水の吸入及び押し出し作用を生じ、薄膜は軟質材料であるため、吸水不足を生じ、力強い圧力の噴水作用を形成することができない。これでは、充分な口腔洗浄効果を発揮することはできない。
【考案の概要】
【考案が解決しようとする課題】
【０００３】
しかし、上述した考案は使用上に欠点があり、改善する必要がある。その原因は下記の通りである。
【０００４】
従来の口腔洗浄器に使用するポンプの多くは薄膜式ポンプで、ポンプ内部の薄膜が押し引き往復される時に生じる吸引力、推進力により、水を押し出すが、薄膜の吸引、推進動作を高速かつ高い頻度で行うことで、充分な水を吸入しているため、使用時に、震動と騒音が発生する。従来の口腔洗浄器に使用するポンプの多くは薄膜式ポンプで、薄膜震動により、水の吸入及び押し出し作用を生じ、薄膜は軟質材料であるため、吸水不足を生じ、力強い圧力の噴水作用を形成することができず、充分な口腔洗浄効果を発揮することはできない。
【０００５】
本考案は、上述の問題に鑑みてなされたものであり、その目的は、ポンプの取り付けがより緊密で、高圧水流を使用しても漏水しないため、安定的で充分な量の水流を生じることができ、口腔洗浄の効果を高め、騒音と故障率を低下させられるポータブル口腔洗浄器ポンプの構造を提供することにある。
【課題を解決するための手段】
【０００６】
本考案によるポータブル口腔洗浄器ポンプの構造において、ポンプは、ポンプ本体、出水コネクター、進水コネクター、往復駆動ユニットを備える。
ポンプ本体は、出水口、進水口、ピストン室を備える。
進水コネクター及び出水コネクターは、ポンプ本体の進水口と出水口にそれぞれ接続される。
ポンプ本体の進水口と出水口の外縁部には、少なくとも１組の嵌合耳をそれぞれ設置する。
出水コネクターと進水コネクターの嵌合接続端外縁部にも、ポンプ本体進水口と出水口外縁部の嵌合耳に嵌合して接続する少なくとも１組の嵌合接続部を設置する。
各嵌合接続部には、ポンプ本体進水口及び出水口外縁部の嵌合耳を嵌入する嵌合槽を形成し、しかも、各嵌合槽の入口下縁及び各嵌合耳の嵌入端下縁には、対応する斜面をそれぞれ設置する。
かつ、各嵌合耳の嵌入端下縁面は、各嵌合槽下縁面よりわずかに低く、これにより、出水コネクターと進水コネクターを、ポンプ本体の出水口及び進水口にそれぞれ嵌めて接続する時、よりスムーズかつ緊密に、各ワッシャーと嵌合することができる。
同時に、出水コネクターと進水コネクターを、ポンプ本体の出水口と進水口内に嵌めて接続する時に生じる間隙内には、別に漏水防止樹脂体を充填する。
【考案の効果】
【０００７】
本考案は、上記した構成部材により、往復駆動ユニットはピストンをポンプ本体のピストン室において、押して往復させ、往復進出の連続動作を生じさせ、この際、吸水と噴水の高圧水流が持続的に生じても、漏水が起きることはなく、これにより給水をより強力かつ安定にし、口腔洗浄の効果を高めることができる。
【図面の簡単な説明】
【０００８】
【図１】本考案の一実施形態によるポンプを口腔洗浄器に取り付けた使用状態を示す立体図である。
【図２】本考案一実施形態によるケースを水タンク内に入れる様子を示す立体図である。
【図３】本考案ポンプの立体分解図である。
【図４】本考案ポンプの組合せ立体図である。
【図５】本考案の一実施形態において出水コネクターをポンプ本体の出水口に嵌めて接続し、これによりポンプ本体の外縁部の嵌合耳を、出水コネクター嵌合接続部嵌合槽に嵌入する動作を示す局部断面図である。
【図６】本考案の一実施形態において出水コネクターをポンプ本体の出水口に嵌めて接続し、これによりポンプ本体の外縁部の嵌合耳を、出水コネクター嵌合接続部嵌合槽に嵌入する動作を示す局部断面図である。
【図７】本考案の一実施形態において進水コネクターをポンプ本体の進水口に嵌めて接続し、これによりポンプ本体の外縁部の嵌合耳を、進水コネクター嵌合接続部嵌合槽に嵌入する動作を示す局部断面図である。
【図８】本考案の一実施形態において進水コネクターをポンプ本体の進水口に嵌めて接続し、これによりポンプ本体の外縁部の嵌合耳を、進水コネクター嵌合接続部嵌合槽に嵌入する動作を示す局部断面図である。
【図９】本考案の一実施形態において出水コネクターと進水コネクターを、ポンプ本体の出水口と進水口内に嵌めて接続する時に生じる間隙内に、漏水防止樹脂体を充填する様子を示す組合せ断面図である。
【考案を実施するための形態】
【０００９】
以下に図面を参照しながら本考案を実施するための最良の形態について詳細に説明する。
【実施例１】
【００１０】
本考案の一実施形態によるポータブル口腔洗浄器ポンプの構造を図面に基づいて説明する。図１〜４に示すように、ポータブル口腔洗浄器ポンプの構造において、ポンプ１は、ポンプ本体１１、出水コネクター１２、進水コネクター１３、往復駆動ユニット１４を備える。ポンプ本体１１は、出水口１１２、進水口１１１、ピストン室１１３を備える。進水コネクター１３及び出水コネクター１２は、ポンプ本体１１の進水口１１１と出水口１１２にそれぞれ接続される。ポンプ本体１１の進水口１１１と出水口１１２の外縁部には、少なくとも１組の嵌合耳１１１２、１１２２をそれぞれ設置する。出水コネクター１２と進水コネクター１３の嵌合接続端外縁部にも、ポンプ本体１１進水口１１１と出水口１１２外縁部の嵌合耳１１１２、１１２２に嵌合して接続する少なくとも１組の嵌合接続部１３２、１２１を設置する。各嵌合接続部１３２、１２１には、ポンプ本体１１進水口１１１及び出水口１１２外縁部の嵌合耳１１１２、１１２２を嵌入する嵌合槽１３３、１２２を形成する。しかも、各嵌合槽１３３、１２２の入口下縁及び各嵌合耳１１１２、１１２２の嵌入端下縁には、対応する斜面１３３１、１２２１、１１１３、１１２３をそれぞれ設置する。かつ、各嵌合耳１１１２、１１２２の嵌入端下縁面１１１４、１１２４は、各嵌合槽１３３、１２２下縁面１３３２、１２２２の設計よりわずかに低い。ポンプ本体１１の出水口１１２と進水口１１１位置には、ワッシャー１１２１、１１１１をそれぞれ設置する。これにより、出水コネクター１２と進水コネクター１３を、ポンプ本体１１の出水口１１２及び進水口１１１にそれぞれ嵌めて接続する時、よりスムーズかつ緊密に、各ワッシャー１１２１、１１１１と嵌合することができる（図５、６、７、８参照）。同時に、出水コネクター１２と進水コネクター１３を、ポンプ本体１１の出水口１１２と進水口１１１内に嵌めて接続する時に生じる間隙Ａ、Ｂ内には、別に漏水防止樹脂体３を充填する（図９参照）。これにより、往復駆動ユニット１４はピストン１１３１をポンプ本体１１のピストン室１１３において、押して往復させ、往復進出の連続動作を生じさせる。この際、吸水と噴水の高圧水流が持続的に生じても、漏水が起きることはなく、これにより給水をより強力かつ安定にし、口腔洗浄の効果を高めることができる。
【００１１】
進水口１１１と出水口１１２内には、バネ１３５、１１５の回復力を受けるボール体１３４、１１４をそれぞれ設置する。進水口１１１内に設置するボール体１３４は、普段は、バネ１３５の回復力を受け、進水コネクター１３内の進水孔１３１に押されている。出水口１１２に設置するボール体１１４は、バネ１３５の回復力を受け、ポンプ本体１１の出水孔１１６に押されている。ピストン１１３１が上方へと押されて移動すると、ピストン室１１３内の水は、圧縮されて加圧される。これにより、ボール体１３４は、進水コネクター１３の進水孔１３１位置を回復し封鎖し、ポンプ本体１１出水孔１１６位置に設置するボール体１１４を押して開く。これにより、水は、出水コネクター１２を経由して、ジェットノズル１５に進入し、噴出する。
【００１２】
往復駆動ユニット１４は、モーター１４１、エキセントリック駆動ギア１４２を備える。モーター１４１により、エキセントリック駆動ギア１４２の回転を駆動し、連棒１１３２により、ピストン１１３１を押し、往復運動を行わせる。これにより、吸水管１３６は、ケース２下方の水タンク２１内の水を吸水し、出水コネクター１２頂点端に取り付けられたジェットノズル１５から噴出する。出水コネクター１２頂点端には、定位制御プッシュボタン１５１を設置する。これにより、ジェットノズル１５に対して、緩め或いは定位をコントロールすることができる。ケース２内には、モーター１４１に給電する電池２２１を設置し、モーター１４１の電源のオン或いはオフをコントロールするスイッチ２２を設置する。
【符号の説明】
【００１３】
１  ポンプ
１１  ポンプ本体
１１１  進水口
１１１１、１１２１  ワッシャー
１１１２、１１２２  嵌合耳、
１１１３、１１２３、１２２１、１３３１  斜面
１１１４、１１２４、１２２２、１３３２  下縁面
１１２  出水口
１１３  ピストン室
１１３１  ピストン
１１３２  連棒
１１４、１３４  ボール体
１１５、１３５  バネ
１１６  出水孔
１２  出水コネクター
１２１、１３２  嵌合接続部
１２２、１３３  嵌合槽
１３  進水コネクター
１３１  進水孔
１３６  吸水管
１４  往復駆動ユニット
１４１  モーター
１４２  エキセントリック駆動ギア
１５  ジェットノズル
１５１  定位制御プッシュボタン
２  ケース
２１  水タンク
２２  スイッチ
２２１  電池
３  漏水防止樹脂体
Ａ、Ｂ  間隙
【図１】
0003194873.tif 000003
【図２】
0003194873.tif 000004
【図３】
0003194873.tif 000005
【図４】
0003194873.tif 000006
【図５】
0003194873.tif 000007
【図６】
0003194873.tif 000008
【図７】
0003194873.tif 000009
【図８】
0003194873.tif 000010
【図９】
0003194873.tif 000011